(57)【特許請求の範囲】
【請求項１】
周囲が耐火材により被覆された耐火梁を備え、前記耐火梁に沿って、その耐火梁の下方に界壁部が設けられる建物の界壁構造であって、
前記界壁部を挟んで両側に各々存在する天井構造物の間に架け渡すようにして、前記耐火梁の下方に壁支持材が設けられ、その壁支持材により前記界壁部の下地フレームが支持されており、
前記壁支持材は、板面を上下に向けて配置された平坦な板状部材であり、その上面が前記耐火材に接触し、その耐火材を前記耐火梁との間に挟み込む状態で設けられ、
前記下地フレームは、前記壁支持材の下面に当接させた状態で前記壁支持材に固定されており、
前記天井構造物は、前記耐火梁と同じ高さ位置の別の梁材に吊り下げ支持される野縁受けであり、
前記壁支持材は、前記野縁受けに対して連結部材を介して連結されていることを特徴とする建物の界壁構造。
【請求項２】
周囲が耐火材により被覆された耐火梁を備え、前記耐火梁に沿って、その耐火梁の下方に界壁部が設けられる建物の界壁構造であって、
前記界壁部を挟んで両側に各々存在する天井構造物の間に架け渡すようにして、前記耐火梁の下方に壁支持材が設けられ、その壁支持材により前記界壁部の下地フレームが支持されており、
前記耐火梁は、前記耐火材によって側部及び底部の全体が被覆されており、
前記壁支持材は、板面を上下に向けて配置された平坦な板状部材であり、その上面が前記耐火材に接触し、その耐火材を前記耐火梁との間に挟み込む状態で設けられ、
前記下地フレームは、前記壁支持材の下面に当接させた状態で前記壁支持材に固定されており、
前記天井構造物は、前記耐火梁と同じ高さ位置の別の梁材に吊り下げ支持される野縁受けであり、
前記壁支持材は、前記野縁受けに対して連結部材を介して連結されていることを特徴とする建物の界壁構造。
【請求項３】
前記野縁受けが、前記耐火梁と同じ高さ位置かつ直交する別の梁材に吊り下げ支持され、
前記連結部材は、前記野縁受けの前記界壁部側の側部においてその側面に固定されたブラケットと、前記壁支持材の上側において前記耐火梁の長手方向に沿って延びるように設けられた通し材とを備え、
前記壁支持材は、前記ブラケットに固定された前記通し材に対して下方から連結されることを特徴とする請求項１又は２に記載の建物の界壁構造。
【請求項４】
前記通し材に対して、その長手方向の所定間隔で複数の前記壁支持材が固定されていることを特徴とする請求項３に記載の建物の界壁構造。
【請求項５】
前記界壁部は、前記下地フレームに対して固定される壁面材を有し、前記壁支持材と前記壁面材との間の隙間部分にシール材が充填されていることを特徴とする請求項１乃至４のいずれか１項に記載の建物の界壁構造。
【請求項６】
前記界壁部は、前記下地フレームとして、壁厚み方向に並べて配置される第１フレームと第２フレームとを備え、それら各フレームには、壁面方向に沿って、前記第１フレーム側と前記第２フレーム側とで互い違いになるように断熱材が配置されていることを特徴とする請求項１乃至５のいずれか１項に記載の建物の界壁構造。
【発明の詳細な説明】
【技術分野】
【０００１】
本発明は、建物の界壁構造に関するものである。
【背景技術】
【０００２】
集合住宅においては住戸間に界壁部が存在し、その界壁部には所定の耐火性能が要求される。この場合、界壁部の納まりとして、界壁部に沿って延びる梁材を、周囲に耐火材を被覆した耐火梁とするとともに、その耐火梁の下方に界壁部を構築する構成が知られている。
【０００３】
例えば、特許文献１に記載の技術では、鉄骨梁の下面に、ランナ受金具を突出させて設けるとともに、この受金具の下端部に、水平支持フランジとランナとを取り付けている。また、鉄骨梁の外周を被覆した耐火材の下端を、支持フランジの上端部に配置するとともに、この支持フランジの下面側に下部表面板を、耐火材の側面側に側面表面板をそれぞれ取り付けている。
【先行技術文献】
【特許文献】
【０００４】
【特許文献１】特開平６−１４６４４１号公報
【発明の概要】
【発明が解決しようとする課題】
【０００５】
しかしながら、上記従来技術は、鉄骨梁にランナ受金具を取り付ける構成であるため、鉄骨梁に対するランナ受金具の取り付けを行う上では、鉄骨梁に対する耐火材の被覆作業に制約が及ぶことになり、施工性が損なわれることが懸念される。また、耐火材の側面側に設けた側面表面板により界壁部を支持する場合、側面表面板の負担が過剰に大きくなり、強度上の懸念が生じると考えられる。
【０００６】
本発明は、上記事情に鑑みてなされたものであり、界壁領域における耐火性能を確保しつつ適正に界壁部を構築することができる建物の界壁構造を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、
周囲が耐火材（１４）により被覆された耐火梁（１２）を備え、前記耐火梁に沿って、その耐火梁の下方に界壁部（３０）が設けられる建物の界壁構造であって、
前記界壁部を挟んで両側に各々存在する天井構造物（１６）の間に架け渡すようにして、前記耐火梁の下方に壁支持材（２３）が設けられ、その壁支持材により前記界壁部の下地フレーム（３１，３４）が支持されていることを特徴とする。
【０００９】
周囲が耐火材により被覆されてなる耐火梁が存在する場合には、耐火梁に対して界壁部の下地フレームを取り付けることが困難となる。この点、上記構成では、界壁部を挟んで両側の天井構造物の間に架け渡して、耐火梁の下方に壁支持材が設けられ、その壁支持材により界壁部の下地フレームが支持されている。この場合、耐火梁の下方に壁支持材を新たに設けることにより、耐火梁への耐火材の被覆作業を含め耐火梁とは無関係に、界壁部の支持が可能となる。また、壁支持材は、界壁部を挟んで両側の天井構造物の間に架け渡して設けられ、水平方向両側で支持されているため、界壁部を支持する上で所望の強度を付与できる。その結果、界壁領域における耐火性能を確保しつつ適正に界壁部を構築することが可能となる。
【００１０】
第２の発明は、前記壁支持材は、前記耐火材に接触し、その耐火材を前記耐火梁との間に挟み込む状態で設けられていることを特徴とする。
【００１１】
耐火材は、耐火梁と壁支持材とに挟み込まれた状態で設けられている。この場合、耐火梁の耐火材と界壁部とにおいて連続性を確保して耐火性能を付与することができる。
【００１２】
第３の発明は、前記天井構造物は、前記耐火梁と同じ高さ位置の別の梁材（１１）に吊り下げ支持される野縁受け（１６）であり、前記野縁受けに対して連結部材（２１，２２）を介して連結されていることを特徴とする。
【００１３】
天井構造物として野縁受けが存在する場合に、その野縁受けを利用することで壁支持材を所望の位置に都合良く保持できる。
【００１４】
第４の発明は、前記連結部材は、前記耐火梁の長手方向に沿って延びるように設けられる通し材（２２）を備え、前記通し材に対して、その長手方向の所定間隔で複数の前記壁支持材が固定されていることを特徴とする。
【００１５】
上記構成では、耐火梁の長手方向に沿って設けられる通し材を用いて、複数の壁支持材が固定されている。この場合、耐火梁に沿うように界壁部を固定支持する上で、好適なる構成を実現できる。
【００１６】
第５の発明は、前記壁支持材は板状部材であり、板面を上下に向けて配置されており、前記壁支持材の下面に当接させた状態で、前記下地フレームが固定されていることを特徴とする。
【００１７】
壁支持材を板状部材で構成することにより、界壁部の下地フレームを固定するための固定面を好適に設けることができ、界壁部の施工が容易となる。この場合、界壁部を構築する際の作業性の点で優位な構成を実現できる。
【００１８】
第６の発明は、前記界壁部は、前記下地フレームに対して固定される壁面材（３７）を有し、前記壁支持材と前記壁面材との間の隙間部分にシール材（３８）が充填されていることを特徴とする。
【００１９】
界壁部の上方に壁支持材が存在していることにより、シール材の充填作業を容易に行うことができる。
【００２０】
第７の発明は、前記界壁部は、前記下地フレームとして、壁厚み方向に並べて配置される第１フレームと第２フレームとを備え、それら各フレームには、壁面方向に沿って、前記第１フレーム側と前記第２フレーム側とで互い違いになるように断熱材（３９）が配置されていることを特徴とする。
【００２１】
上記構成では、界壁部における断熱、遮音等の性能を界壁部の両面側で対等にしつつ、界壁部における断熱材の使用量を削減することができる。また、各フレームで断熱材を分散配置したため、界壁部内において通気部を容易に形成できる。したがって、構成の簡易化を図りつつ所望の界壁性能を実現することができる。
【図面の簡単な説明】
【００２２】
【図１】建物において界壁部分の納まりを示す縦断面図。
【図２】図１のＡ−Ａ線断面図。
【図３】界壁の内部構成を示す横断面図。
【発明を実施するための形態】
【００２３】
以下、本発明を具体化した一実施形態を図面を参照しつつ説明する。本実施形態では、複数の住戸からなる集合住宅として具体化した建物において、住戸間に存在する界壁部の構成について詳しく説明する。建物は、鉄骨軸組工法により構築される多層階建物であり、鋼材を用いて建物の躯体が構成されている。
【００２４】
図１は、建物１０において界壁部３０の納まりを示す縦断面図である。図１に示すように、建物１０は、上階用の床梁１１，１２を有している。これら床梁１１，１２は互いに直交する向きに結合されており、床梁１１，１２によりＡＬＣからなる床面材１３が支持されている。床梁１１，１２はいずれもＨ形鋼からなる。床梁１１，１２のうち床梁１２に沿って界壁部３０が設けられている。図１においては紙面直交方向に界壁部３０が延びるものとなっている。
【００２５】
床梁１１，１２のうち界壁部３０と同方向に延びる床梁１２には、その周囲を囲むようにしてシート状の耐火材１４が被覆されている。床梁１２が耐火梁に相当する。耐火材１４は、例えば耐熱ロックウールにより構成されており、横断面の一端側と他端側とがそれぞれ床面材１３の下面に固定され、その間の中間部分にて床梁１２を囲むようにして設けられている。
【００２６】
また、下階天井の納まりとして、床梁１１には複数の天井吊り具１５が取り付けられ、その天井吊り具１５により野縁受け１６が支持されている。野縁受け１６は、床梁１１に平行になるとともに床梁１２に直交する向きに延びるよう設けられている。野縁受け１６には支持具としてのクリップ１７により野縁１８が支持されている。野縁１８は野縁受け１６に直交するように設けられている。そして、野縁１８の下面に石膏ボードからなる天井面材１９が固定されている。
【００２７】
ここで、界壁部３０において、上述のように床梁１２が耐火材１４の被覆により耐火梁とされる場合、耐火材１４の存在により、床梁１２により界壁部３０を支持すること、すなわち界壁部３０を構成する壁フレームを床梁１２に対して固定することが困難となる。そこで本実施形態では、界壁部３０を挟んで両側に各々存在する天井構造物（天井下地部材）を用いて界壁支持用の支持部材を固定し、その支持部材により界壁部３０を支持することとしている。
【００２８】
次に、界壁支持構造を詳細に説明する。図２は、図１のＡ−Ａ線断面図である。なお、図２では、便宜上、天井吊り具１５や野縁１８等の図示を省略する他、一部は現実の納まりでなく各部材の位置関係を示すものとなっている。
【００２９】
図１，図２に示すように、野縁受け１６の界壁側端部においてその側面にはブラケット２１が固定され、そのブラケット２１には通し材２２が固定されている。ブラケット２１及び通し材２２が連結部材に相当する。ブラケット２１は例えばＬアングル材よりなり、通し材２２は例えば角形鋼管からなる。ブラケット２１は、一面がビス等により野縁受け１６に固定され、その一面に直交する他面がビス等により通し材２２に固定されている。野縁受け１６は所定間隔で複数設けられており、それら各野縁受け１６を互いに連結するようにして通し材２２が設けられている。
【００３０】
通し材２２は界壁部２０を挟んで左右両側に設けられており、その左右両側の通し材２２に架け渡すようにして、界壁部３０を支持する壁支持材としての支持プレート２３が固定されている。なお図２では、便宜上、支持プレート２３にドットを付している。支持プレート２３は例えば平坦な鉄板よりなり、板面を上下に向けて配置され、通し材２２に対してビス等により固定されている。図２に示すように、支持プレート２３は、通し材２２において野縁受け１６との連結部となる位置にそれぞれ固定されている。ただし、支持プレート２３の固定ピッチは変更可能であり、野縁受け１６との連結部以外の位置に固定されていてもよい。
【００３１】
なお、支持プレート２３を挟んで上側に通し材２２が設けられるとともに、下側に別の通し材２４が設けられていてもよい。この場合、これら上下の通し材２２，２４と支持プレート２３とがビスの共締めにより相互に固定されているとよい。
【００３２】
界壁を挟んで両側の通し材２２は、床梁１２を取り巻く耐火材１４を挟むようにして、耐火材１４の両側に設けられている。また、支持プレート２３は、床梁１２を取り巻く耐火材１４の下面に接触するようにして設けられている。
【００３３】
そして、下階側の床梁２６を下端側の支持部、支持プレート２３を上端側の支持部として界壁部３０が取り付けられている。界壁部３０は、ランナ及びスタッドからなる下地フレームが壁厚み方向に２列に設けられた構造を有している。詳しくは、界壁部３０は、一方の下地フレーム（第１フレーム）として上ランナ３１、下ランナ３２及びスタッド３３を有し、他方の下地フレーム（第２フレーム）として上ランナ３４、下ランナ３５及びスタッド３６を有している。各下地フレームの上端側について特に言うと、上ランナ３１，３４は、支持プレート２３の下面に当接させた状態で、その支持プレート２３に固定されている。上記の各下地フレームは、壁厚み方向の中央部にて互いに離間するように配置されており、各々外側に石膏ボードからなる壁面材３７が固定されている。
【００３４】
壁面材３７は、その上方の支持プレート２３、下方の床梁２６に対してそれぞれ隙間を持たせて固定されており、その隙間部分にはシール材３８が充填されている。なお本実施形態では、壁面材３７として２枚の石膏ボードを重ねて用いており、その２枚重ねの石膏ボードのうち壁外側の石膏ボードの上下の隙間が、壁内側の石膏ボードの上下の隙間よりも小さくなるように構成されている。
【００３５】
界壁部３０の内部には、下地フレームに固定された状態で断熱材３９が取り付けられており、図３には壁内部における断熱材３９の配置が示されている。断熱材３９は、例えばグラスウールよりなり、断熱性能、遮音性能、耐火性能を有する。断熱材３９は、各一対のスタッド３３の間、又はスタッド３６の間に固定され、壁厚み方向に並ぶ各下地フレームは、それぞれ壁面方向に所定間隔を隔てて離散配置されている。この場合、壁面方向に沿って、一方のフレーム側と他方のフレーム側とで互い違いになるように断熱材３９が配置されている。
【００３６】
なお、図３に示す構成では、一方のフレーム側と他方のフレーム側とで壁厚み方向に重複しないように断熱材３９が配置されているが、これを変更し、一方のフレーム側と他方のフレーム側とで壁厚み方向に一部重複した状態で断熱材３９が配置されていてもよい。いずれにしろ一方のフレーム側と他方のフレーム側とで断熱材３９が互い違いに配置されていればよい。
【００３７】
建物１０の施工時における界壁部３０の施工手順を説明する。
【００３８】
床梁１１，１２等の建物１０の躯体が施工された状態で、耐火梁としての床梁１２に耐火材１４をまき付け、その後、天井部の施工作業を実施する。このとき、天井吊り具１５や野縁受け１６、野縁１８の取り付けを適宜行うとともに、野縁１８の下面に天井面材１９を固定する。また、通し材２２及び支持プレート２３の取り付けを行う。
【００３９】
ここで、野縁受け１６の端部にはブラケット２１があらかじめ固定されており、野縁受け１６の施工後には、野縁受け１６の各端部のブラケット２１に対して通し材２２をビス等により固定する。そしてその後、床梁１２を挟んで左右の通し材２２に架け渡すようにして支持プレート２３をビス等により固定する。支持プレート２３を挟んで上下に通し材２２，２４を設ける場合には、上下の通し材２２，２４と支持プレート２３とがビスにより共締めされる。
【００４０】
その後、界壁部３０を構築する。この場合、下地フレームの上ランナ３１，３４を支持プレート２３に対してビス等により固定し、さらに下ランナ３２，３５やスタッド３３，３６、断熱材３９の施工を行う。そして、下地フレームに対する壁面材３７の固定やシール材３８の充填の作業を行う。こうした一連の作業により、図１に示す界壁構造が構築される。
【００４１】
以上詳述した本実施形態によれば、以下の優れた効果が得られる。
【００４２】
界壁部３０を挟んで両側の野縁受け１６の間に架け渡して、床梁１２の下方に支持プレート２３を設け、その支持プレート２３により界壁部３０の下地フレームを支持する構成にした。この場合、床梁１２の下方に支持プレート２３を新たに設けることにより、床梁１２への耐火材１４の被覆作業を含め床梁１２とは無関係に、界壁部３０の支持が可能となる。また、支持プレート２３は、界壁部３０を挟んで両側の野縁受け１６の間に架け渡して設けられ、水平方向両側で支持されているため、界壁部３０を支持する上で所望の強度を付与できる。その結果、界壁領域における耐火性能を確保しつつ適正に界壁部３０を構築することが可能となる。
【００４３】
また上記構成では、床梁１２に耐火材１４を被覆した状態、すなわち床梁１２の被覆作業を施した後の状態で、天井部や界壁部の施工作業を行うことができる。この場合、床梁１２に対する界壁支持を優先するには耐火材１４の被覆作業を後にせざるを得ない、又は耐火材１４を複数に分断して巻き付けを行わざるを得ない等の制約が生じない。ゆえに、作業の容易化を図ることができる他、床梁１２の被覆等の作業をし忘れるといった作業ミスの抑制を図ることができる。
【００４４】
支持プレート２３は、耐火材１４に接触し、その耐火材１４を床梁１２との間に挟み込む状態で設けられている。この場合、耐火材１４は、床梁１２と支持プレート２３とに挟み込まれた状態で設けられることになり、床梁１２の耐火材１４と界壁部３０とにおいて連続性を確保して耐火性能を付与することができる。
【００４５】
天井構造物として野縁受け１６が存在する場合に、その野縁受け１６を利用することで支持プレート２３を所望の位置に都合良く保持できる。
【００４６】
床梁１２の長手方向に沿って延びるように設けられる通し材２２に対して、所定間隔で複数の支持プレート２３を固定する構成にした。この場合、床梁１２に沿うように界壁部３０を固定支持する上で、好適なる構成を実現できる。
【００４７】
支持プレート２３を板状部材で構成することにより、界壁部３０の下地フレームを固定するための固定面を好適に設けることができ、界壁部３０の施工が容易となる。この場合、界壁部３０を構築する際の作業性の点で優位な構成を実現できる。
【００４８】
界壁部３０において、支持プレート２３と壁面材３７との間の隙間部分にシール材３８を充填する構成にした。この場合、界壁部３０の上方に支持プレート２３が存在していることにより、シール材３８の充填作業を容易に行うことができる。
【００４９】
界壁部３０において、壁厚み方向に並べて２列の下地フレームを設け、それら各下地フレームには、壁面方向に沿って互い違いになるように断熱材３９を配置した。この場合、界壁部３０における断熱、遮音、耐火の性能を界壁部３０の両面側で対等にしつつ、界壁部３０における断熱材３９の使用量を削減することができる。また、２列の各下地フレームで断熱材３９を分散配置したため、界壁部３０内において通気部を容易に形成できる。したがって、構成の簡易化を図りつつ所望の界壁性能を実現することができる。
【００５０】
［他の実施形態］
本発明は上記実施形態の記載内容に限定されず、例えば次のように実施されてもよい。
【００５１】
・壁支持材の構成は上記のものに限られず、適宜の変更が可能である。例えば、支持プレート２３を界壁部３０の壁面方向に拡張したものとし、複数の野縁受け１６に跨がるような長さで構成してもよい。また、壁支持材は板状部材以外のものでもよく、例えばＣ形鋼や角形鋼といった条鋼を用いてもよい。
【００５２】
・上記実施形態では、天井構造物としての野縁受け１６により支持プレート２３を固定する構成としたが、これを変更してもよく、例えば天井構造物としての野縁１８や天井吊り具１５により支持プレート２３を固定する構成としてもよい。
【００５３】
・上記実施形態では、鉄骨軸組工法により構築される多層階建物への適用例を説明したが、他の建物への適用も可能である。例えば、平屋建物への適用や、在来木造工法により構築される建物への適用が可能である。
【符号の説明】
【００５４】
１０…建物、１１…床梁、１２…床梁（耐火梁）、１４…耐火材、１６…野縁受け（天井構造物）、２１…ブラケット（連結部材）、２２…通し材（連結部材）、３１，３４…上ランナ（下地フレーム）、３７…壁面材、３８…シール材、３９…断熱材。
【図１】
0006616586.tif 000002
【図２】
0006616586.tif 000003
【図３】
0006616586.tif 000004